(57)【要約】【課題】  映像処理装置の初期設定サービスが行われる間に、各設定段階に対するユーザの操作負担を減らし初期設定サービスの所要時間を減らすことができる映像処理装置を提供する。【解決手段】  少なくとも一つの外部入力による信号が受信される接続部と；接続部に受信される外部入力による信号を既設定されたプロセスに従って処理し、信号が映像に対応すれば映像をディスプレイ部に表示されるように処理する信号処理部と；接続部に対してユーザが外部入力を接続させるように案内するガイド映像を表示し、ガイド映像の表示以後に接続部が外部入力からの信号を受信できるようにする接続設定を順次的に行うようにそれぞれの外部入力の設定映像を順次的にディスプレイ部に表示し、ガイド映像の表示以後に接続部に接続されている第１外部入力の信号入力特性を感知し感知結果に従って第１外部入力に対応する設定映像を選択的に表示する制御部と；を含む。【選択図】      図４
2014039244.tif 000002
【特許請求の範囲】
【請求項１】
映像処理装置において、
少なくとも一つの外部入力による信号が受信される接続部と；
前記接続部に受信される前記外部入力による信号を既設定されたプロセスに従って処理し、前記信号が映像に対応すれば前記映像をディスプレイ部に表示されるように処理する信号処理部と；
前記接続部に対してユーザが前記外部入力を接続させるように案内するガイド映像を表示し、前記ガイド映像の表示以後に前記接続部が前記外部入力からの信号を受信できるようにする接続設定を順次的に行うようにそれぞれの前記外部入力の設定映像を順次的に前記ディスプレイ部に表示し、前記ガイド映像の表示以後に前記接続部に接続されている第１外部入力の信号入力特性を感知し前記感知結果に従って前記第１外部入力に対応する前記設定映像を選択的に表示する制御部と；
を含むことを特徴とする映像処理装置。
【請求項２】
前記制御部は、前記それぞれの前記外部入力の設定映像を順次的に表示する間に、前記第１外部入力に対応する前記設定映像を表示せず前記感知結果に従って自動に前記接続設定を行うことを特徴とする請求項１に記載の映像処理装置。
【請求項３】
前記第１外部入力は有線ネットワーク又は無線ネットワーク接続を含み、
前記制御部は、前記接続部に有線ネットワークが接続されたと感知すればネットワーク接続設定のための第１設定映像を表示せず前記有線ネットワーク及び前記映像処理装置の接続設定を行い、前記接続部に無線ネットワークが接続されたと感知すれば前記映像処理装置の無線ネットワーク接続設定のための第２設定映像を表示することを特徴とする請求項１に記載の映像処理装置。
【請求項４】
前記制御部は、前記接続部に有線ネットワーク又は無線ネットワークが接続されないと感知すれば前記第１設定映像を表示し、前記第１設定映像を通した入力に従って前記映像処理装置のネットワーク接続を設定することを特徴とする請求項３に記載の映像処理装置。
【請求項５】
前記制御部は、前記接続部に有線ネットワーク又は無線ネットワークが接続されないと感知すれば前記第１設定映像を表示せず前記映像処理装置のネットワーク接続を設定しないことを特徴とする請求項３に記載の映像処理装置。
【請求項６】
前記第１設定映像は有線ネットワーク及び無線ネットワークの中で何れか一つを選択できるように提供するように設けられたことを特徴とする請求項３に記載の映像処理装置。
【請求項７】
前記制御部は、前記接続部に有線ネットワーク又は無線ネットワークが接続されないと感知すればネットワーク接続の設定可否を入力するように設けられた第３設定映像を表示することを特徴とする請求項３に記載の映像処理装置。
【請求項８】
前記第１外部入力は放送信号の受信ケーブル接続を含み、
前記制御部は、前記接続部に前記放送信号の受信ケーブルが接続されたと感知すれば前記放送信号に基づくチャンネル
リストを設定する第４設定映像を表示し、前記接続部に前記放送信号の受信ケーブルが接続されないと感知すれば前記第４設定映像を表示せずスキップすることを特徴とする請求項１に記載の映像処理装置。
【請求項９】
ユーザ入力部をさらに含み、
前記制御部は、前記ユーザ入力部を通した操作に従って前記ガイド映像から前記少なくとも一つの設定映像への履行又は複数の前記設定映像の中で何れか一つから他の一つへの履行を行うことを特徴とする請求項１に記載の映像処理装置。
【請求項１０】
映像処理装置の制御方法において、
少なくとも一つの外部入力による信号が受信される接続部に対して、ユーザが前記外部入力を接続させるように案内するガイド映像を表示する段階と；
前記接続部が前記外部入力からの信号を受信できるようにする接続設定を順次的に行うようにそれぞれの前記外部入力の設定映像を順次的に表示する段階を含み、
前記それぞれの前記外部入力の設定映像を順次的に表示する段階は、
前記ガイド映像の表示以後に前記接続部に接続されている第１外部入力の信号入力特性を感知する段階と；
前記感知結果に従って前記第１外部入力に対応する前記設定映像を選択的に表示する段階と；
を含むことを特徴とする映像処理装置の制御方法。
【請求項１１】
前記感知結果に従って前記第１外部入力に対応する前記設定映像を選択的に表示する段階は、前記第１外部入力に対応する前記設定映像を表示せず前記感知結果に従って自動に前記接続設定を行う段階を含むことを特徴とする請求項１０に記載の映像処理装置の制御方法。
【請求項１２】
前記第１外部入力は有線ネットワーク又は無線ネットワークの接続を含み、
前記感知結果に従って前記第１外部入力に対応する前記設定映像を選択的に表示する段階は、
前記接続部に有線ネットワークが接続されたと感知すればネットワーク接続設定のための第１設定映像を表示せず前記有線ネットワーク及び前記映像処理装置の接続設定を行う段階と；
前記接続部に無線ネットワークが接続されたと感知すれば前記映像処理装置の無線ネットワーク接続設定のための第２設定映像を表示する段階と；
を含むことを特徴とする請求項１０に記載の映像処理装置の制御方法。
【請求項１３】
前記第１外部入力は放送信号の受信ケーブルの接続を含み、
前記感知結果に従って前記第１外部入力に対応する前記設定映像を選択的に表示する段階は、
前記接続部に前記放送信号の受信ケーブルが接続されたと感知すれば前記放送信号に基づくチャンネル リストを設定する第４設定映像を表示する段階と；
前記接続部に前記放送信号の受信ケーブルが接続されないと感知すれば前記第４設定映像を表示せずスキップする段階と；
を含むことを特徴とする請求項１０に記載の映像処理装置の制御方法。
【発明の詳細な説明】
【技術分野】
【０００１】
本発明は、外部入力による映像信号を映像で表示できるように受信及び処理する映像処理装置及びその制御方法に係り、さらに詳しくは、外部ネットワーク接続等のような外部入力環境に対する映像処理装置の接続を設定する構造を改善した映像処理装置及びその制御方法に関する。
【背景技術】
【０００２】
一般的に、映像処理装置は外部から受信される映像信号を映像で表示されるように多様な方法で処理する装置を通称する。映像処理装置はディスプレイパネルを備えない場合及び自体的にディスプレイパネルを備える場合がある。ディスプレイパネルを備えない映像処理装置は、処理した映像信号が他のディスプレイ装置で映像で表示されるように該当映像信号を他のディスプレイ装置に出力するところ、例えば、セットトップボックスがこれに該当する。一方、ディスプレイパネルを備える映像処理装置は、処理した映像信号を自体のディスプレイパネルに映像で表示すること、例えば、ＴＶ又はモニターがこれに該当する。
【０００３】
映像処理装置が同じモデルといっても各ユーザが該当映像処理装置を使用する使用環境は同一でない。したがって、映像処理装置はユーザが該当装置を購入して初めて使用する時に、各使用環境に従って映像処理装置に設けられた機能を最初設定する初期設定サービスを提供する。このような初期設定サービスとしては、ＵＩ（ｕｓｅｒ  ｉｎｔｅｒｆａｃｅ）映像を通した段階別設定入力方法があり、映像処理装置はこのようなＵＩ映像を通した設定入力を通じて該当映像処理装置の多様な機能を最初設定する。
【０００４】
ところで、技術の発展に従って映像処理装置が行うことができる機能が多くて、初期設定時にユーザが設定しなければならない段階の数と各段階別ＵＩ映像の数が多くなるところ、これは初期設定に対するユーザの不便と所要時間の増加を招くようになる。
【発明の概要】
【発明が解決しようとする課題】
【０００５】
従って、本発明の目的は、映像処理装置の初期設定サービスが行われる間に、各設定段階に対するユーザの操作負担を減らし初期設定サービスの所要時間を減らすことができる映像処理装置を提供することを目的とする。
【課題を解決するための手段】
【０００６】
本発明の実施形態による映像処理装置は、少なくとも一つの外部入力による信号が受信される接続部と；前記接続部に受信される前記外部入力による信号を既設定されたプロセスに従って処理し、前記信号が映像に対応すれば前記映像をディスプレイ部に表示されるように処理する信号処理部と；前記接続部に対してユーザが前記外部入力を接続させるように案内するガイド映像を表示し、前記ガイド映像の表示以後に前記接続部が前記外部入力からの信号を受信できるようにする接続設定を順次的に行うようにそれぞれの前記外部入力の設定映像を順次的に前記ディスプレイ部に表示し、前記ガイド映像の表示以後に前記接続部に接続されている第１外部入力の信号入力特性を感知し前記感知結果に従って前記第１外部入力に対応する前記設定映像を選択的に表示する制御部と；を含むことを特徴とする。
【０００７】
ここで、前記制御部は、前記それぞれの前記外部入力の設定映像を順次的に表示する間に、前記第１外部入力に対応する前記設定映像を表示せず前記感知結果に従って自動に前記接続設定を行うことができる。
【０００８】
また、前記第１外部入力は有線ネットワーク又は無線ネットワーク接続を含み、前記制御部は、前記接続部に有線ネットワークが接続されたと感知すればネットワーク接続設定のための第１設定映像を表示せず前記有線ネットワーク及び前記映像処理装置の接続設定を行い、前記接続部に無線ネットワークが接続されたと感知すれば前記映像処理装置の無線ネットワーク接続設定のための第２設定映像を表示することができる。
【０００９】
ここで、前記制御部は、前記接続部に有線ネットワーク又は無線ネットワークが接続されないと感知すれば前記第１設定映像を表示し、前記第１設定映像を通した入力に従って前記映像処理装置のネットワーク接続を設定することができる。また、前記制御部は、前記接続部に有線ネットワーク又は無線ネットワークが接続されないと感知すれば前記第１設定映像を表示せず前記映像処理装置のネットワーク接続を設定しないことができる。
【００１０】
また、前記第１設定映像は有線ネットワーク及び無線ネットワークの中で何れか一つを選択できるように提供するように設けられることができる。
【００１１】
又は、前記制御部は、前記接続部に有線ネットワーク又は無線ネットワークが接続されないと感知すればネットワーク接続の設定可否を入力するように設けられた第３設定映像を表示することもできる。
【００１２】
また、前記第１外部入力は放送信号の受信ケーブル接続を含み、前記制御部は、前記接続部に前記放送信号の受信ケーブルが接続されたと感知すれば前記放送信号に基づくチャンネル
リストを設定する第４設定映像を表示し、前記接続部に前記放送信号の受信ケーブルが接続されないと感知すれば前記第４設定映像を表示せずスキップすることができる。
【００１３】
また、ユーザ入力部をさらに含み、前記制御部は、前記ユーザ入力部を通した操作に従って前記ガイド映像から前記少なくとも一つの設定映像への履行又は複数の前記設定映像の中で何れか一つから他の一つへの履行を行うことができる。
【００１４】
また、本発明の実施形態による映像処理装置の制御方法は、少なくとも一つの外部入力による信号が受信される接続部に対して、ユーザが前記外部入力を接続させるように案内するガイド映像を表示する段階と；前記接続部が前記外部入力からの信号を受信できるようにする接続設定を順次的に行うようにそれぞれの前記外部入力の設定映像を順次的に表示する段階を含み、前記それぞれの前記外部入力の設定映像を順次的に表示する段階は、前記ガイド映像の表示以後に前記接続部に接続されている第１外部入力の信号入力特性を感知する段階と；前記感知結果に従って前記第１外部入力に対応する前記設定映像を選択的に表示する段階と；を含むことを特徴とする。
【００１５】
ここで、前記感知結果に従って前記第１外部入力に対応する前記設定映像を選択的に表示する段階は、前記第１外部入力に対応する前記設定映像を表示せず前記感知結果に従って自動に前記接続設定を行う段階を含むことができる。
【００１６】
また、前記第１外部入力は有線ネットワーク又は無線ネットワークの接続を含み、前記感知結果に従って前記第１外部入力に対応する前記設定映像を選択的に表示する段階は、前記接続部に有線ネットワークが接続されたと感知すればネットワーク接続設定のための第１設定映像を表示せず前記有線ネットワーク及び前記映像処理装置の接続設定を行う段階と；前記接続部に無線ネットワークが接続されたと感知すれば前記映像処理装置の無線ネットワーク接続設定のための第２設定映像を表示する段階と；を含むことができる。
【００１７】
ここで、前記感知結果に従って前記第１外部入力に対応する前記設定映像を選択的に表示する段階は、前記接続部に有線ネットワーク又は無線ネットワークが接続されないと感知すれば前記第１設定映像を表示し、前記第１設定映像を通した入力に従って前記映像処理装置のネットワーク接続を設定する段階をさらに含むことができる。
【００１８】
また、前記感知結果に従って前記第１外部入力に対応する前記設定映像を選択的に表示する段階は、前記接続部に有線ネットワーク又は無線ネットワークが接続されないと感知すれば前記第１設定映像を表示せず前記映像処理装置のネットワーク接続を設定しない段階をさらに含むことができる。
【００１９】
また、前記第１設定映像は有線ネットワーク及び無線ネットワークの中で何れか一つを選択できるように提供するように設けられることができる。
【００２０】
又は、前記感知結果に従って前記第１外部入力に対応する前記設定映像を選択的に表示する段階は、前記接続部に有線ネットワーク又は無線ネットワークが接続されないと感知すればネットワーク接続の設定可否を入力するように設けられた第３設定映像を表示する段階をさらに含むこともできる。
【００２１】
また、前記第１外部入力は放送信号の受信ケーブルの接続を含み、前記感知結果に従って前記第１外部入力に対応する前記設定映像を選択的に表示する段階は、前記接続部に前記放送信号の受信ケーブルが接続されたと感知すれば前記放送信号に基づくチャンネル
リストを設定する第４設定映像を表示する段階と；前記接続部に前記放送信号の受信ケーブルが接続されないと感知すれば前記第４設定映像を表示せずスキップする段階と；を含むことができる。
【発明の効果】
【００２２】
本発明によれば、映像処理装置の初期設定サービスが行われる間に、各設定段階に対するユーザの操作負担を減らし初期設定サービス所要時間を減らすことができる。
【図面の簡単な説明】
【００２３】
【図１】本発明の実施形態による映像処理装置の例示図である。
【図２】図１の映像処理装置の構成ブロック図である。
【図３】図１の映像処理装置の初期設定サービスで複数の機能を設定する段階の例示図である。
【図４】図３の初期設定サービスで本実施形態に従って各段階を設定する方法を示す例示図である。
【図５】図４の各段階に対応する設定映像の例示図である。
【図６】図４の各段階に対応する設定映像の例示図である。
【図７】図４の各段階に対応する設定映像の例示図である。
【図８】図４の各段階に対応する設定映像の例示図である。
【図９】図４の各段階に対応する設定映像の例示図である。
【図１０】図１の映像処理装置の制御方法を示す制御フローチャートである。
【発明を実施するための形態】
【００２４】
以下、添付図面を参照して本発明に対して詳しく説明する。以下の実施形態では、本発明の思想と直接的に関連のある構成に対してだけ説明し、その他の構成に対しては説明を省略する。しかし、本発明の思想が適用された装置又はシステムを具現することにおいて、このように説明が省略された構成が不必要を意味することではないことを明らかにする。
【００２５】
図１は本発明の実施形態による映像処理装置１００の例示図である。図１に示すように、本実施形態による映像処理装置１００は自体的に映像を表示できるディスプレイ装置であるＴＶで具現される。
【００２６】
映像処理装置１００は多様な外部入力環境との接続を通じて、外部から多様な種類の信号を受信する。例えば、映像処理装置１００は外部から放送信号を受信すれば、この放送信号を特定チャンネルでチューニングし既設定された多様なプロセスに従って処理することによって特定チャンネルの放送映像を表示する。
【００２７】
映像処理装置１００はこのような外部入力環境に接続するために、映像処理装置１００の外側に設置され多様な外部入力ケーブル１０、２０、３０が接続される接続部１１０を含む。接続部１１０に接続される外部入力の種類は多様で、例えば、放送局の送出装備（図示せず）から送出される放送信号のＨＤＭＩ（登録商標）又はコンポーネントケーブル１０や、インターネットのような通信ネットワークとの接続のための通信ケーブル２０や、セットトップボックス又はＤＶＤ／ブルーレイのような光学メディア再生装置のような多様な外部機器３とローカル接続されたケーブル３０等がある。
【００２８】
又は、本図面では有線ケーブル１０、２０、３０が接続部１１０に接続されることによって映像処理装置１００が外部入力環境に接続する場合に関してだけ示しているが、接続部１１０は無線アクセスポイント（ａｃｃｅｓｓ  ｐｏｉｎｔ）（図示せず）との無線接続を通じて通信ネットワークと接続することもできる。
【００２９】
このように、接続部１１０に対するケーブル１０、２０、３０の接続を通じて、映像処理装置１００は多様な外部入力環境から映像信号／放送信号／通信データ等のように多様な特性及び規格の信号を受信し、該当信号の特性に合う処理を行うことができる。
【００３０】
以下、映像処理装置１００の具体的な構成に対して図２を参照して説明する。図２は映像処理装置１００の構成ブロック図である。
【００３１】
図２に示すように、映像処理装置１００は少なくとも一つの外部入力から信号を受信する接続部１１０と、接続部１１０に受信される外部入力による信号を既設定されたプロセスに従って処理する信号処理部１２０と、信号処理部１２０によって処理される信号が映像信号である場合に該当映像信号を映像で表示するディスプレイ部１３０と、ユーザの操作に従って制御信号を出力するユーザ入力部１４０と、映像処理装置１００の動作を制御する制御部１５０と、を含む。
【００３２】
接続部１１０は外部入力による信号を受信して信号処理部１２０に伝達する。接続部１１０は多様な外部入力ケーブル１０、２０、３０が接続されることによって該当外部入力からの信号を有線で受信し、又は無線で受信される信号を予め決まった無線通信規格に従って受信することができる。接続部１１０は各ケーブル１０、２０、３０が個別的に接続される複数のコネクター（図示せず）を含む。接続部１１０は接続された外部入力からの信号、例えば、ＨＤＭＩ、ＵＳＢ、コンポーネント（ｃｏｍｐｏｎｅｎｔ）規格による放送信号、映像信号、データ信号等を受信したり、又は通信ネットワークを通した通信データを受信することができる。
【００３３】
本実施形態による接続部１１０は外部入力からの信号／データを受信する構成だけでなく、映像処理装置１００の設計方式に従って、無線通信のための無線通信モジュール（図示せず）や放送信号のチューニングのためのチューナー（図示せず）のような多様な付加的な構成をさらに含むことができる。
【００３４】
信号処理部１２０は接続部１１０に受信される信号に対して既設定されたプロセスを行うことによって該当信号を処理する。例えば、接続部１１０に受信される信号が映像信号である場合、信号処理部１２０は映像処理プロセスに従って映像信号を処理してディスプレイ部１３０に出力することによって、ディスプレイ部１３０に該当映像信号に基づく映像が表示されるようにする。
【００３５】
信号処理部１２０が行う映像処理プロセスの種類は限られず、例えば、所定の信号を各特性別信号で分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【００３６】
また、信号処理部１２０は接続部１１０に受信される信号が音声信号やデータ信号である場合に、各信号に合う処理動作を行う。信号処理部１２０によるこのような処理動作の具現は、映像処理装置１００の設計段階で接続部１１０が受信する信号特性を考慮して決定されて適用されることができる。信号処理部１２０はこのようなプロセスを行うためのチップセット（図示せず）、メモリー（図示せず）、電子部品（図示せず）、配線（図示せず）等の回路構成が印刷回路基板（図示せず）上に実装された映像処理ボード（図示せず）で具現される。
【００３７】
ディスプレイ部１３０は信号処理部１２０から出力される映像信号に基づいて映像を表示する。ディスプレイ部１３０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００３８】
ディスプレイ部１３０はその具現方式に従って付加的な構成を追加的に含むことができる。例えば、ディスプレイ部３００が非発光素子の液晶方式である場合、ディスプレイ部３００は液晶ディスプレイパネル（図示せず）と、これに光を供給するバックライトユニット（図示せず）と、パネル（図示せず）を駆動させるパネル駆動基板（図示せず）と、を含む。
【００３９】
ユーザ入力部４００はユーザの操作及び入力によって、既設定された多様な制御コマンド又は限定されなかった情報を出力する。ユーザ入力部４００は映像処理装置１の外側に設置されたメニューキー（ｍｅｍｕ−ｋｅｙ）及び入力パネル（ｐａｎｅｌ）や、映像処理装置１と分離離隔されたリモートコントローラー（ｒｅｍｏｔｅ  ｃｏｎｔｒｏｌｌｅｒ）等で具現される。又は、ユーザ入力部４００はディスプレイ部３００と一体型で具現されることができる。即ち、ディスプレイ部３００がタッチスクリーン（ｔｏｕｃｈ−ｓｃｒｅｅｎ）である場合、ユーザはディスプレイ部３００に表示された入力メニュー（図示せず）を通じて既設定されたコマンドが生成されるようにすることもできる。
【００４０】
このような構造の映像処理装置１００はユーザが購入して、ユーザの使用環境に合う設定値を入力してこそ使用が可能なＣＥ（Ｃｏｎｓｕｍｅｒ  Ｅｌｅｃｔｒｏｎｉｃｓ）製品である。ＣＥ製品である映像処理装置１００はユーザによって望む環境に設置された以後にシステム電源が最初にターンオンなれると、映像処理装置１００の多様な機能に対して該当使用環境に合う設定値を入力したり又はデフォルト（ｄｅｆａｕｌｔ）設定を調整することができるサービスを提供する。このようなサービスを便宜上初期設定サービスと言う。
【００４１】
制御部１５０は映像処理装置１００の複数の機能を最初設定する初期設定サービスを提供することにおいて、各機能を個別的に設定できるように提供する複数の設定映像を順次的にディスプレイ部１３０に表示する。例えば、制御部１５０は所定の第１機能を設定する第１設定映像を表示する。この状態で、ユーザがユーザ入力部１４０を操作することによって第１設定映像を通じて第１機能を設定し次の設定シークエンス（ｓｅｑｕｅｎｃｅ）への履行を命令すれば、所定の第２機能を設定する第２設定映像が表示されることによってユーザが第２機能を設定することができるようにする。
【００４２】
以下、映像処理装置１００の初期設定サービス２００で複数の機能を設定する段階の例示に対して図３を参照して説明する。図３はこのような段階を示す例示図である。
【００４３】
図３に示すように、初期設定サービス２００は映像処理装置１００が提供する多様な機能の中で少なくとも一部の機能に対する初期設定をユーザが調整できるようにする。
【００４４】
ここで、制御部１５０は初期設定サービス２００の各設定段階２１０、２２０、２３０、２４０、２５０に対応する設定映像を順次的に表示する。各設定段階２１０、２２０、２３０、２４０、２５０は接続部１１０が外部入力からの信号を受信できるようにする接続設定を行う段階である。制御部１５０は表示された設定映像を通した該当設定段階２１０、２２０、２３０、２４０、２５０の設定状態を保存する。そして、制御部１５０は次の設定段階２１０、２２０、２３０、２４０、２５０への履行命令に従って、前記の次の設定段階２１０、２２０、２３０、２４０、２５０に対応する設定映像を表示する。
【００４５】
初期設定サービス２００の設定段階２１０、２２０、２３０、２４０、２５０は映像処理装置１００の設計方式又は映像処理装置１００が提供する機能の種類に従って、多様に変更及び適用されることができる。以下で説明する実施形態は初期設定サービス２００の具現可能な一つの例示として、各設定段階２１０、２２０、２３０、２４０、２５０の数、種類又は順序等の事項が本発明の思想を限定しない。
【００４６】
初期設定サービス２００は言語設定段階２１０と、ネットワーク設定段階２２０と、ファームウェア（ｆｉｒｍｗａｒｅ）アップグレード段階２３０と、現在時間設定段階２４０と、チャンネルリスト設定段階２５０を含む。制御部１５０はこのような各設定段階２１０、２２０、２３０、２４０、２５０が順次的に行われるように、ユーザが該当設定段階２１０、２２０、２３０、２４０、２５０を設定することができるように提供する設定映像を順次的に表示する。
【００４７】
言語設定段階２１０は映像処理装置１００が提供するメニューの基本言語を指定する段階である。指定可能な言語は、韓国語、英語、ドイツ語、フランス語、エスペラント語、中国語、日本語等のように多様な国又は団体で使用する公用語が適用されることができる。
【００４８】
ネットワーク設定段階２２０は映像処理装置１００が通信ネットワークに接続するための構造、即ち有線接続または無線接続に対する構造を選択する段階である。各選択結果に従って追加的な選択事項が発生することもできるので、例えば、無線ネットワーク接続である場合に信号受信可能地域内に存在する無線アクセスポイント（ａｃｃｅｓｓ  ｐｏｉｎｔ）を選択する事項が追加的に設けられることができる。
【００４９】
ファームウェアアップグレード段階２３０は映像処理装置１００がネットワークに接続された場合に特定サーバー（図示せず）に接続して映像処理装置１００のファームウェアの最新バージョンをダウンロードし、ダウンロードしたファームウェアによるアップグレードを行う段階である。
【００５０】
映像処理装置１００に放送信号が受信される場合に、放送信号が含む各チャンネルをマッピング（ｍａｐｐｉｎｇ）することによって該当放送信号のチャンネル
リストを設定する段階である。
【００５１】
本実施形態での初期設定サービス２００は５種類の設定段階２１０、２２０、２３０、２４０、２５０だけを例えたが、映像処理装置１００が提供する機能又はサービスが増加することによって初期設定サービス２００が含む設定段階の数は数十種類以上になることもできる。この場合、ユーザは各段階別に設定映像を通じて初期設定をしなければならないので、使用の不便さと設定時間の過多所要がもたらされることができる。
【００５２】
従って、本実施形態によれば次のような方法が提案される。
【００５３】
制御部１５０は初期設定サービス２００を提供することにおいて、接続部１１０に対してユーザが外部入力を接続させるように案内するガイド映像を表示する。制御部１５０はガイド映像の表示以後に各設定段階２１０、２２０、２３０、２４０、２５０に対応する設定映像を順次的に表示し、この時に接続部１１０に接続されている特定外部入力の信号入力特性を感知する。制御部１５０は感知結果に従って該当外部入力に対応する設定映像を選択的に表示する。制御部１５０は該当外部入力に対応する設定映像を表示せず、感知結果に従って自動に接続設定を行う。
【００５４】
これによって、映像処理装置１００の初期設定サービス２００が行われる間に、各設定段階２１０、２２０、２３０、２４０、２５０に対するユーザの操作負担を減らし初期設定サービス２００の所要時間を減らすことができる。
【００５５】
以下、本実施形態による初期設定サービス３００の進行過程に対して図４を参照して説明する。図４は本実施形態による映像処理装置１００の初期設定サービス３００で複数の機能を設定する段階を示す例示図である。本実施形態での初期設定サービス３００が含む各設定段階に対しては図３の場合に準ずる。
【００５６】
図４に示すように、映像処理装置１００の初期設定サービス３００の各設定段階３２０、３３０、３４０、３５０、３６０は言語設定段階３２０からチャンネルリスト設定段階３６０まで順次的に設けられる。従って、制御部１５０は先にガイド映像をディスプレイ部１３０に表示する３１１。
【００５７】
ガイド映像４１０(図５参照)は、初期設定サービス３００を始める前にユーザが接続部１１０にケーブル等の外部入力を接続させるように案内するメッセージを含む。ユーザはこのようなガイド映像４１０に従って接続部１１０に多様な種類の外部入力ケーブルを連結させた後、映像処理装置１００を初期設定サービス３００の次の設定段階３２０に履行させる。
【００５８】
ガイド映像表示段階３１０で言語設定段階３２０に履行する間３１１、制御部１５０は接続部１１０に接続された外部入力の状態を感知する。即ち、制御部１５０はガイド映像表示段階３１０以後に映像処理装置１００に接続された外部入力の信号入力特性を感知する。例えば、制御部１５０は信号入力特性を感知する例示として、通信ネットワークの有線接続あるいは無線接続の可否、又は外部から放送信号の受信可否等を感知することができる。
【００５９】
制御部１５０は言語設定段階３２０で言語が設定された以後に次の段階３３０への履行命令を受信すれば、前の外部入力の信号入力特性の感知結果に従って選択的な制御動作を行う。
【００６０】
万一、接続部１１０に有線で通信ネットワークが接続されたと感知すれば、制御部１５０はネットワーク設定段階３３０に履行し３２１、ネットワーク設定段階３３０でネットワーク設定のための設定映像を表示せず感知結果に従って自動にネットワーク設定を行う。また、制御部１５０はファームウェア
アップグレード段階３４０に履行し３３１、前のネットワーク設定段階３３０で設定したネットワーク環境基盤でファームウェアのダウンロード及びアップグレードを行う。また、制御部１５０は現在時間設定段階３５０に履行する３４１。
【００６１】
万一、接続部１１０に無線で通信ネットワークが接続されたと感知すれば、制御部１５０は映像処理装置１００との無線ネットワークを構築するための無線アクセスポイント（図示せず）を選択するための設定映像４２０（図６参照）を表示する。設定映像４２０を通じて無線アクセスポイント（図示せず）が選択されれば、制御部１５０は選択された無線アクセスポイント（図示せず）を通じて無線ネットワークを構築し次の設定段階に履行する３３１。
【００６２】
万一、接続部１１０にいかなる有線ネットワーク／無線ネットワークも接続されなかったと感知すれば、制御部１５０はユーザが通信ネットワークを使用する意思がないと見なしてネットワーク設定段階３３０及びファームウェアアップグレード段階３４０をスキップ（ｓｋｉｐ）する３２２。
【００６３】
又は、設計方式に従って異なる実施形態も可能なので、接続部１１０にいかなる有線ネットワーク／無線ネットワークも接続されなかったと感知すれば、制御部１５０はネットワーク設定のための設定映像４３０（図７参照）を表示することもできる。
【００６４】
又は、接続部１１０にいかなる有線ネットワーク／無線ネットワークも接続されなかったと感知すれば、制御部１５０はユーザにネットワークの設定可否の確認を要請する設定映像４３１（図８参照）を表示することもできる。制御部１５０はユーザが設定映像４３１を通じてネットワーク設定の遂行を入力すれば、図７の設定映像４３０を表示し、ユーザが設定映像４３１を通じてネットワーク設定を遂行しないことを入力すれば、ユーザが通信ネットワークを使用する意思がないと見なしてネットワーク設定段階３３０及びファームウェアアップグレード段階３４０をスキップする３２２。
【００６５】
ファームウェアアップグレード段階３４０から現在時間設定段階３５０に履行する時点３４１で、制御部１５０は前の感知結果に従って感知した放送信号又はネットワークを通じて現在時間の値を取得することができると判断することができる。この場合、制御部１５０は取得した時間値で映像処理装置１００の現在時間を自動に設定する３４２。
【００６６】
反面、制御部１５０は放送信号又はネットワークが接続されていないと判断したり、又は現在時間の値を取得できないと判断することもできる。この場合、制御部１５０は現在時間設定段階３５０で現在時間を設定するための設定映像４４０（図９参照）を表示することによって、ユーザが設定映像４４０を通じて現在時間を入力することができるように提供する。
【００６７】
現在時間設定段階３５０でチャンネルリスト設定段階３６０に履行する過程３５１で、制御部１５０は前の感知結果に従って放送信号が受信されると判断することができる。この場合、制御部１５０はチャンネルリスト設定段階３６０で放送信号に基づいたチャンネルリストを生成し、終了段階に履行する３６１。チャンネルリスト設定段階３６０ではチャンネルリストの生成又は変更のための別途の設定映像が表示されることができる。
【００６８】
反面、制御部１５０は放送信号が受信されないと判断すれば、チャンネルリスト設定段階３６０に履行せず、まさに終了段階に履行する３５２。
【００６９】
以下、本実施形態による映像処理装置１００の制御方法に対して図１０を参照して説明する。図１０はこのような過程を示す制御フローチャートである。図１０に示すように、映像処理装置１００は初期設定サービスが開始Ｓ１００されることによって、ガイド映像（図５を参照）を表示するＳ１１０。
【００７０】
映像処理装置１００はガイド映像の表示以後に各設定段階への履行コマンドを受信すればＳ１２０、映像処理装置１００に接続されている外部入力の信号入力特性を感知するＳ１３０。映像処理装置１００は各設定段階が進行される間に、感知結果に基づいて各設定段階に対応する設定映像を選択的に表示するＳ１４０。従って、映像処理装置１００はユーザの使用便宜性を向上させた初期設定サービスを提供することができる。
【００７１】
一方、前の実施形態ではガイド映像を表示した後に最初の設定段階に履行する時点で外部入力に対する感知が行われると表現したが、外部入力に対する感知が行われる時点はガイド映像を表示した後であり、該当外部入力に対する設定段階以前の時点ならば、特定時点が限定されない。
【００７２】
また、前の実施形態では映像処理装置１００がディスプレイ部１３０を含む場合に対して説明したが、映像処理装置１００がディスプレイ部１３０を含まなかった場合にも本発明の思想を適用することができる。例えば、映像処理装置１００は別途のＴＶに接続されたセットトップボックスとして、生成した設定映像を外部のＴＶに出力することによって該当ＴＶで設定映像が表示されるようにすることもできる。
【００７３】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【符号の説明】
【００７４】
１００  映像処理装置
１１０  接続部
１２０  信号処理部
１３０  ディスプレイ部
１４０  ユーザ入力部
１５０  制御部
【図１】
2014039244.tif 000003
【図２】
2014039244.tif 000004
【図３】
2014039244.tif 000005
【図４】
2014039244.tif 000006
【図５】
2014039244.tif 000007
【図６】
2014039244.tif 000008
【図７】
2014039244.tif 000009
【図８】
2014039244.tif 000010
【図９】
2014039244.tif 000011
【図１０】
2014039244.tif 000012